(57)【要約】【課題】少なくとも１つの方向に録画再生画像を表示可能な複数方向表示可能な画像表示装置の使い勝手をよくするための表示制御システムを提供する。【解決手段】ＤＶＤ再生装置１０で再生される画像を表示する表示画面Ａ７２及びカーナビゲーション装置２０から供給される画像を表示する表示画面Ｂ７４を有する画像表示装置７０を設ける。ＤＶＤ再生装置１０の録画画像再生作動中に、助手席着座センサ３０により助手席９４に人が検出されなくなったときに、ＤＶＤ再生装置１０を録画画像再生作動の再開が可能な状態で一時停止させるとともに、ＤＶＤ再生装置１０の録画画像再生作動の一時停止位置を記憶装置６０に記憶させ、さらに、一時停止させた後に、助手席着座センサ３０によって助手席９４に人が検出されたときに、記憶装置６０に記憶されている一時停止位置からＤＶＤ再生装置１０の録画画像再生作動を再開させ、表示画面Ｂ７４に表示させる。【選択図】図１
2007336298.tif 000002
【特許請求の範囲】
【請求項１】
録画画像を再生するための録画画像再生装置と、
前記録画画像再生装置により再生された画像を表示する画像表示装置と、
前記画像表示装置で表示された画像を見ることができる位置に居る人を検出するための人検出手段と、
前記録画画像再生装置の録画画像再生作動が、録画画像再生作動の再開が可能な状態で一時停止したときに、その一時停止位置を記憶する記憶手段と、
前記録画画像再生装置の録画画像再生作動中に、前記人検出手段によって人が検出されなくなったときに、前記録画画像再生装置を録画画像再生作動の再開が可能な状態で一時停止させるとともに、前記記憶手段に、前記録画画像再生装置の録画画像再生作動の一時停止位置を記憶させ、さらに、一時停止させた後に、前記人検出手段によって人が検出されたときに、前記記憶手段に記憶されている前記一時停止位置から前記録画画像再生装置の録画画像再生作動を再開させる制御手段と、
を備えたことを特徴とする表示制御システム。
【請求項２】
請求項１に記載の表示制御システムにおいて、
前記人検出手段によって検出された人を識別するための人識別手段を備え、
前記制御手段は、前記記憶手段に前記録画画像再生装置の録画画像再生作動の一時停止位置を記憶する際に前記人識別手段によって識別された人と、前記記憶手段に一時停止位置を記憶させた後に前記人検出手段によって人が検出された際に前記人識別手段によって識別された人とが同一であったとき、前記記憶手段に記憶されている一時停止位置から前記録画画像の再生を再開させることを特徴とする表示制御システム。
【請求項３】
請求項１又は請求項２に記載の表示制御システムにおいて、
一時停止した前記録画画像再生装置の録画画像再生作動を再開させるための指令を入力する入力手段を備え、
前記制御手段は、前記録画画像再生装置の録画画像再生作動を一時停止させた後に、前記人検出手段によって、人が検出されたとき、前記記憶手段に記憶されている前記一時停止位置から前記録画画像再生装置の録画画像再生作動を再開させる代りに、前記画像表示装置に前記録画画像再生装置の録画画像再生作動の再開が可能となった旨の表示をさせ、前記入力手段に対して前記一時停止した前記録画画像再生装置の録画画像再生作動を再開させるための入力があった場合に、前記一時停止位置から前記録画画像再生装置の録画画像再生作動を再開させることを特徴とする表示制御システム。
【請求項４】
請求項１〜請求項３の何れかに記載の表示制御システムにおいて、
前記制御手段は、前記人検出手段によって人が検出されない時間が所定の時間以上となった場合、前記記憶手段に記憶された録画画像再生装置の録画画像再生作動の一時停止位置を消去することを特徴とする表示制御システム。
【請求項５】
請求項１〜請求項４の何れかに記載の表示制御システムにおいて、
前記画像表示装置は、複数方向に画像を表示可能に構成され、さらに、前記複数方向に表示される画像のうち少なくとも１つは前記録画画像再生装置で再生される第１の画像であり、他の画像のうち少なくとも１つは、前記録画画像再生装置以外の装置から供給される第２の画像であるように構成され、
前記人検出手段は、前記第１の画像を見ることができる位置に居る人を検出することを特徴とする表示制御システム。
【請求項６】
請求項１〜請求項５の何れかに記載の表示制御システムにおいて、
車両に搭載されて用いられることを特徴とする表示制御システム。
【請求項７】
請求項１〜請求項６の何れかに記載の表示制御システムにおいて、
前記記憶手段は、前記録画画像再生装置の録画画像再生作動の一時停止位置に加え前記録画画像再生装置で再生する録画画像の識別情報を記録するとともに、前記制御手段に着脱可能、かつ、持ち運び可能に構成されていることを特徴とする表示制御システム。
【発明の詳細な説明】
【技術分野】
【０００１】
本発明は、画像表示装置を使いやすくするための表示制御システムに関する。
【背景技術】
【０００２】
従来、録画画像再生装置からの画像を表示できるようにした画像表示装置がある。例えば、ＤＶＤ再生装置で再生される画像を表示することができるようにした車載用の画像表示装置がある（例えば、特許文献１参照）。
【特許文献１】特開２００６−４７５３４号公報
【発明の開示】
【発明が解決しようとする課題】
【０００３】
ところが、上記画像表示装置では、録画画像再生装置で再生される画像を表示できるようにしただけである。したがって、その録画画像を見ている人が居なくなった場合、その人が居なくなる前に録画再生装置の停止操作をしなければ、画像表示装置では画像が表示され続ける。
【０００４】
例えば、車両の助手席側にＤＶＤ再生装置の再生画像の表示しているときに、助手席から人が居なくなった場合、助手席に居た人が助手席を離れる前にＤＶＤ再生装置の停止操作をしなければ、ＤＶＤ録画画像は表示され続ける。
【０００５】
本発明は、このような問題に鑑みなされたものであり、画像表示装置の使い勝手をよくするための表示制御システムを提供することを目的とする。
【課題を解決するための手段】
【０００６】
かかる問題を解決するためになされた請求項１に記載の表示制御システムは、録画画像再生装置、画像表示装置、人検出手段、記憶手段及び制御手段などを備えている。
録画画像再生装置は、録画画像を再生するためのものであり、画像表示装置は、録画画像再生装置により再生された画像を表示するものである。
【０００７】
人検出手段は、画像表示装置により表示された画像を見ることができる位置に居る人を検出するためものであり、記憶手段は、録画画像再生装置の録画画像再生作動が、録画画像再生作動の再開が可能な状態で一時停止したときに、その一時停止位置を記憶する。
【０００８】
制御手段は、録画画像再生装置の録画画像再生作動中に、人検出手段によって人が検出されなくなったときに、録画画像再生装置を録画画像再生作動の再開が可能な状態で一時停止させるとともに、記憶手段に、録画画像再生装置の録画画像再生作動の一時停止位置を記憶させ、さらに、一時停止させた後に、人検出手段によって人が検出されたときに、記憶手段に記憶されている一時停止位置から録画画像再生装置の録画画像再生作動を再開させる。
【０００９】
以上のように構成された表示制御システムによれば、再生中の画像が見える位置に人が検出されなくなると、録画画像再生装置が録画画像再生作動可能な状態で一時停止される。そして、一時停止後に画像が見える位置に人が検出されると一時停止位置から録画画像再生作動が再開される。
【００１０】
つまり、画像が見える位置に人が検出されなくなると、録画画像再生装置は一時停止される。そして、録画画像再生装置を一時停止した後に画像が見える位置に人が戻ってくると録画画像再生装置の録画画像再生作動が再開される。
【００１１】
このように、画像を見ている人の有無によって録画画像再生装置の録画画像再生作動が一時停止されたり再開されたりするので、使用者の使い勝手がよい表示制御システムとなる。
【００１２】
なお、「録画画像再生装置」とは、録画媒体に録画してある画像を再生するための機能を有する装置であり、具体的には、ＤＶＤ再生装置、ＨＤＤ再生装置、ＣＤ−ＲＯＭ再生装置、ＶＴＲなどである。
【００１３】
また、「画像を見ることができる位置」とは、録画画像再生装置で再生される画像を見ることができる範囲の全部又はその範囲のうちの一部を意味している。
また、「一時停止位置」とは、録画画像再生装置の録画画像再生作動を一時的に停止したときに、録画画像再生作動が可能となる位置を意味する。つまり、録画画像再生装置が、一時停止位置から再生可能であれば、その再生可能な位置が一時停止位置ということであるが、例えば、録画画像再生装置が録画画像再生作動をチャプタごとにしか一時停止できない場合には、一時停止したチャプタが一時停止位置ということになる。
【００１４】
ところで、録画画像再生装置の録画画像再生作動を一時停止した後、単に画像を見ることができる位置に人が検出された場合、検出された人がその位置から一時的に居なくなった人と同一とは限らない。
【００１５】
そこで、請求項２に記載のように、人検出手段によって検出された人を識別するための人識別手段を備えるようにする。
そして、制御手段は、記憶手段に録画画像再生装置の録画画像再生作動の一時停止位置を記憶する際に人識別手段によって識別された人と、記憶手段に一時停止位置を記憶させた後に人検出手段によって人が検出された際に人識別手段によって識別された人とが同一であったとき、記憶手段に記憶されている一時停止位置から録画画像の再生を再開させるようにするとよい。
【００１６】
このようにすると、画像を見ることができる位置から一時的に人が居なくなった場合、その人と同一の人が戻ってきたときにだけ、録画画像を一時停止位置から見ることができるようになる。したがって、使用者にとって使いやすい表示制御システムとなる。
【００１７】
ところで、画像を見ていた人が画像を見ることができる位置から居なくなって、録画画像再生装置の録画再生作動が一時停止された後、画像を見ることができる位置に人が戻ってきた場合、その人が必ずしも一時停止位置から画像を見ることを望むとは限らない。
【００１８】
そこで、請求項３に記載のように、一時停止した録画画像再生装置の録画画像再生作動を再開させるための指令を入力する入力手段を備えるようにする。
そして、制御手段は、録画画像再生装置の録画画像再生作動を一時停止させた後に、人検出手段によって人が検出されたとき、記憶手段に記憶されている一時停止位置から録画画像再生装置の録画画像再生作動を再開させる代りに、画像表示装置に録画画像再生装置の録画画像再生作動の再開が可能となった旨の表示をさせる。
【００１９】
さらに、入力手段に対して、一時停止した録画画像再生装置の録画画像再生作動を再開させるための入力があった場合に、一時停止位置から録画画像再生装置の録画画像再生作動を再開させるようにするとよい。
【００２０】
このようにすると、録画画像再生装置の使用者の選択に応じて、一時停止位置から録画画像を見るか否かを選択できるようになるので、使用者にとって使いやすい表示制御システムとなる。
【００２１】
ところで、人検出手段によって人が検出されない時間が長くなった場合、再生されている録画画像を見ていた人が録画画像を見ていた場所に帰ってこないことも考えられる。そのような場合、録画画像再生装置の録画画像再生作動が一時停止位置から録画画像再生装置の録画再生作動を再開させる必要がないので、一時停止位置を記憶手段に記憶しておいても意味がない。
【００２２】
そこで、請求項４に記載のように、制御手段は、人検出手段によって人が検出されない時間が所定の時間以上となった場合、記憶手段に記憶された録画画像再生装置の録画画像再生作動が一時停止位置を消去するようにするとよい。
【００２３】
このようにすると、録画画像再生装置の録画画像再生作動が一時停止されてから所定時間が経過すると記憶手段に記憶されていた録画画像再生装置の録画画像再生作動の一時停止位置が消去される。したがって、再生されている録画画像を見ていた人が録画画像を見ていた場所に帰ってこない場合には、録画画像再生装置は、録画画像再生作動の一時停止位置から作動が再開されない。
【００２４】
つまり、一時停止後所定時間が経過した後には、録画画像再生装置は通常の操作が可能となっているので、例えば、他の人が録画再生画像を見る位置にきたときに画像が途中から再生されるようなことがないので、使いやすい表示制御システムとなる。
【００２５】
ところで、画像表示装置が複数方向に画像を表示可能な場合には、次のような工夫をするとよい。つまり、請求項５に記載のように、画像表示装置は、複数方向に画像を表示可能に構成され、さらに、複数方向に表示される画像のうち少なくとも１つは録画画像再生装置で再生される第１の画像であり、他の画像のうち少なくとも１つは、録画画像再生装置以外の装置から供給される第２の画像であるように構成され、人検出手段は、第１の画像を見ることができる位置に居る人を検出するようにするのである。
【００２６】
このようにすると、録画画像再生装置で再生中の画像（第１の画像）が見える位置に人が検出されなくなると、録画画像再生装置が録画画像再生作動可能な状態で一時停止される。そして、一時停止後に第１の画像が見える位置に人が検出されると一時停止位置から録画画像再生作動が再開される。
【００２７】
つまり、第１の画像が見える位置に人が検出されなくなると、録画画像再生装置は一時停止されるが、他の装置から供給される画像は停止されずに表示され続ける。そして、録画画像再生装置を一時停止した後に第１の画像が見える位置に人が戻ってくると録画画像再生装置の録画画像再生作動が再開される。
【００２８】
このように、他の装置から供給される画像は表示されたままの状態で、第１の画像を見ている人の有無によって録画画像再生装置の録画画像再生作動が一時停止されたり再開されたりするので、使用者の使い勝手がよい表示制御システムとなる。
【００２９】
ところで、本表示制御システムは、種々の場所に設置して用いることができる。例えば、請求項６に記載のように、車両に搭載されて用いられるようにするとよい。そして、例えば、録画画像再生装置以外の装置として、カーナビゲーション装置を用い、カーナビゲーション装置の画像が運転席側から見ることができるようにする。また、録画画像再生装置としてＤＶＤ再生装置を用い、ＤＶＤ再生画像が助手席から見ることができるようにしておく。
【００３０】
そのようにすれば、例えば、助手席に座ってＤＶＤの再生画像を見ている同乗者が買い物などで一時的に助手席を離れても、戻ってきて助手席に座れば、助手席を離れたときに再生していた位置から再生画像を見ることができるので、同乗者にとって使いやすい表示制御システムとなる。
【００３１】
また、例えば、ＤＶＤ再生装置が一時的に停止していても、運転者に対して表示されているカーナビゲーション画像は停止することがないので、運転者はその間（ＤＶＤ再生装置が一時停止している間）、カーナビゲーション装置の操作をすることができるので、運転者にとっても使いやすい表示制御システムとなる。
【００３２】
さらに、請求項７に記載のように、記憶手段は、録画画像再生装置の録画画像再生作動の一時停止位置に加え録画画像再生装置で再生する録画画像の識別情報を記録するとともに、制御手段に着脱可能、かつ、持ち運び可能に構成されていると便利である。
【００３３】
つまり、録画画像の識別情報と一時停止位置とが記憶されている記憶手段が着脱可能、かつ、持ち運び可能に構成されているので、録画画像の識別情報と一時停止位置とを他の場所、例えば、他の車両へも持ち運ぶことができる。
【００３４】
したがって、他の場所（他の車両）に本表示制御システムが備えられおり、その表示制御システムの録画画像再生装置に同じ識別情報を有する録画画像がセットされていれば、他の場所（他の車両）においても、一時停止位置から同じ識別情報を有する録画画像を再生することができる。
【００３５】
なお、「録画画像の識別情報」とは、記録媒体に録画されている画像を識別するための情報であり、例えば、録画画像のタイトルなどをいう。
【発明を実施するための最良の形態】
【００３６】
以下、本発明が適用された実施形態について図面を用いて説明する。なお、本発明の実施の形態は、下記の実施形態に何ら限定されることはなく、本発明の技術的範囲に属する限り種々の形態を採りうる。
【００３７】
［第１実施形態］
（構成）
図１は、本発明に係る表示制御システム１の概略構成を示すブロック図であり、図２は、表示制御システム１が車両９０に搭載されている様子を示す車両搭載図である。表示制御システム１は、図１に示すように、ＤＶＤ再生装置１０、カーナビゲーション装置２０、助手席着座センサ３０、室内カメラ４０、制御部５０、記憶装置６０，画像表示装置７０などから構成され、図２に示すように車両９０に搭載されている。
【００３８】
ＤＶＤ再生装置１０は、録画画像を再生するための装置であり、ディスク状の記録媒体（ＤＶＤ）に映画などの映像や音楽が記録されている。
カーナビゲーション装置２０は、図示しないＧＰＳ車載器及び地図データベースが記録された記憶装置などから構成され、車両９０に搭載されている。カーナビゲーション装置２０は、地図データベースの地図情報に基づいて画像表示装置７０の表示画面Ａ７２に地図を表示させる。また、ＧＰＳ車載器から得られた車両９０に現在位置を表示画面Ａ７２に表示させた地図上に表示させ、運転者などによって設定された目的地に車両９０を案内する機能を有している。
【００３９】
助手席着座センサ３０は、画像表示装置７０によって表示されるＤＶＤ再生装置１０で再生される画像を見ることができる位置に居る人を検出するためのセンサである。具体的には、助手席９４の着座部分に埋め込まれた図示しないマイクロスイッチである。
【００４０】
助手席９４の着座部分に同乗者（以下、助手席者と呼ぶ。）が着席するとマイクロスイッチが押下されオンになるので、助手席者が助手席９４に居ることを検出できる。逆に、助手席者が助手席９４から居なくなるとマイクロスイッチが開放されてオフになるので、助手席者が助手席９４に居ないことを検出できる。
【００４１】
室内カメラ４０は、助手席着座センサ３０によって検出された人（助手席者）を識別するためのものであり、具体的には、車両９０の前面ガラス９６の上部に配置された小型のＣＣＤカメラである。
【００４２】
室内カメラ４０は、助手席者の顔を撮像できるような角度で取り付けられており、助手席着座センサ３０がオンになったときに撮像を行い、助手席９４に着席した人（助手席者）の顔を撮像する。そして、撮像した助手席者の顔画像を制御部５０へ出力する。
【００４３】
記憶装置６０は、ＤＶＤ再生装置１０の録画画像再生作動の一時停止位置に加えＤＶＤ再生装置１０で再生する録画画像のタイトルを記録するとともに、制御部５０に着脱可能、かつ、持ち運び可能に構成されている。具体的には、メモリスティックや小型耐震性のハードディスクなどである。
【００４４】
画像表示装置７０は、複数方向に画像を表示可能に構成され、さらに、複数方向に表示される画像のうち少なくとも１つはＤＶＤ再生装置１０で再生され、他の画像のうち少なくとも１つは、ＤＶＤ再生装置１０以外の装置、つまり、カーナビゲーション装置２０から供給されるように構成されている。
【００４５】
具体的には、運転席９２側に画像を表示するために運転席９２側に向けて取り付けられた表示画面Ａ７２と助手席９４側に画像を表示するために助手席９４側に向けて取り付けられた表示画面Ｂ７４とから構成されている。なお、表示画面Ａ７２及び表示画面Ｂ７４は、各々液晶パネルで構成されている。
【００４６】
制御部５０は、ＤＶＤ再生装置１０の録画画像再生作動中に、助手席着座センサ３０により人が検出されなくなったときに、ＤＶＤ再生装置１０を録画画像再生作動の再開が可能な状態で一時停止させる。
【００４７】
また、制御部５０は、記憶装置６０に、ＤＶＤ再生装置１０の録画画像再生作動の一時停止位置を記憶させ、さらに、一時停止させた後に、助手席着座センサ３０によって人が検出されたときに、記憶装置６０に記憶されている一時停止位置からＤＶＤ再生装置１０の録画画像再生作動を再開させる。
【００４８】
また、制御部５０は、助手席着座センサ３０によって人が検出されない時間が所定の時間以上となった場合、記憶装置６０に記憶されたＤＶＤ再生装置１０の録画画像再生作動の一時停止位置を消去する。
【００４９】
（表示制御処理）
以上のように構成された表示制御システム１の制御部５０で実行される表示制御処理について図３に基づいて説明する。図３は、表示制御処理の処理フローを表すフローチャートである。
【００５０】
表示制御処理は、使用者がＤＶＤ再生装置１０の再生操作を開始したときに処理が開始される。処理が開始されると、図３に示すように、まず、Ｓ１００において、ＤＶＤ再生フラグが「Ｔｒｕｅ」にセットされる。ここで、「ＤＶＤ再生フラグ」とは、ＤＶＤ再生装置１０が録画画像再生作動を行っているか否かを示すためのフラグであり、「Ｔｒｕｅ」が録画画像再生作動状態を示し、「Ｆａｌｓｅ」が録画画像再生作動状態でないことを示す。
【００５１】
続く、Ｓ１０５では、助手席着座センサ３０の状態が入力され、続くＳ１１０では、ＤＶＤ再生装置１０の作動状態、つまり、録画画像再生作動状態であるか否かが入力される。
【００５２】
続くＳ１１５において、Ｓ１０５において入力された助手席着座センサ３０の状態に基づいて助手席９４に人が居るか否かが判定される。つまり、助手席着座センサ３０がオンであれば助手席９４に人が居り、助手席着座センサ３０がオフであれば、助手席９４に人は居ないと判定される。そして、人が居ないと判定された場合（Ｓ１１５：Ｎｏ）、処理がＳ１２０へ移行され、人が居ると判定された場合（Ｓ１１５：Ｙｅｓ）、処理がＳ１５５へ移行される。
【００５３】
Ｓ１２０では、Ｓ１１０において入力されたＤＶＤ再生装置１０の作動状態が録画画像再生作動状態であるか否かが判定される。ＤＶＤ再生装置１０が録画画像再生作動状態でない場合（Ｓ１２０：Ｎｏ）、処理がＳ１０５へ戻され、表示制御処理が繰返される。一方、ＤＶＤ再生装置１０が録画画像再生作動状態である場合（Ｓ１２０：Ｙｅｓ）には、続くＳ１２５では、ＤＶＤ再生フラグが「Ｔｒｕｅ」であるか「Ｆａｌｓｅ」であるかの判定が行われる。
【００５４】
Ｓ１２５において、ＤＶＤ再生フラグが「Ｆａｌｓｅ」の場合、処理がＳ１０５へ戻され、表示制御処理が繰返される。ＤＶＤ再生フラグが「Ｔｒｕｅ」の場合、続くＳ１３０において、ＤＶＤ再生フラグが「Ｆａｌｓｅ」にセットされる。
【００５５】
続く、Ｓ１３５では、ＤＶＤ再生装置１０の録画画像再生作動が一時停止され、続くＳ１４０でＤＶＤ再生装置１０の録画画像再生作動の一時停止位置及びＤＶＤ録画画像のタイトルが記憶装置６０へ記憶される。
【００５６】
続くＳ１４５では、Ｓ１３５においてＤＶＤ再生装置１０の録画画像再生作動が一時停止されたときから所定の時間が経過したか否かが判定される。ＤＶＤ再生装置１０の録画画像再生作動が一時停止されてから所定の時間が経過していなければ（Ｓ１４５：Ｎｏ）、処理がＳ１０５へ戻され、表示制御処理が繰返され、所定の時間が経過していれば（Ｓ１４５：Ｙｅｓ）、処理がＳ１５０へ移行される。
【００５７】
Ｓ１５０では、ＤＶＤ再生装置１０の一時停止位置及びＤＶＤ録画画像のタイトルが消去され、Ｓ１０５へ処理が戻されて表示制御処理が繰返される。
Ｓ１５５では、Ｓ１１０において入力されたＤＶＤ再生装置１０の作動状態が録画画像再生作動状態であるか否かが判定される。ＤＶＤ再生装置１０が録画画像再生作動状態である場合（Ｓ１５５：Ｙｅｓ）、処理がＳ１０５へ戻され、表示制御処理が繰返される。一方、ＤＶＤ再生装置１０が録画画像再生作動状態でない場合（Ｓ１５５：Ｎｏ）には、続くＳ１６０において、ＤＶＤ再生フラグが「Ｔｒｕｅ」であるか「Ｆａｌｓｅ」であるかの判定が行われる。
【００５８】
Ｓ１６０において、ＤＶＤ再生フラグが「Ｔｒｕｅ」の場合、処理がＳ１０５へ戻され、表示制御処理が繰返される。ＤＶＤ再生フラグが「Ｆａｌｓｅ」の場合、続くＳ１６５において、室内カメラ４０の画像が入力される。
【００５９】
続くＳ１７０では、Ｓ１６５において入力された室内カメラ４０の画像から画像処理によって助手席者が同一であるか否かが判定される。つまり、前回入力された室内カメラ４０の画像と今回入力された室内カメラ４０の画像とから人が抽出され、抽出された人が比較される。そして、比較された人が同一人物であるか否かが判定されるのである。
【００６０】
そして、同一人物でないと判定された場合（Ｓ１７０：Ｎｏ）、処理がＳ１０５へ戻され、表示制御処理が繰返される。逆に同一人物であると判定された場合（Ｓ１７０：Ｙｅｓ）には、続くＳ１７５において、ＤＶＤ再生フラグが「Ｔｒｕｅ」にセットされる。
【００６１】
続くＳ１８０では、ＤＶＤ再生装置１０の録画画像再生作動が再開され、Ｓ１０５へ処理が戻されて表示制御処理が繰返される。
（表示制御システム１の特徴）
以上のように構成された表示制御システム１においては、助手席９４に人が検出されなくなると、ＤＶＤ再生装置１０が録画画像再生作動可能な状態で一時停止される。そして、一時停止後に助手席９４に人が検出されると一時停止位置から録画画像再生作動が再開される。
【００６２】
つまり、助手席９４に人が検出されなくなると、ＤＶＤ再生装置１０は一時停止されるが、カーナビゲーション装置２０から供給される画像は停止されずに表示され続ける。そして、ＤＶＤ再生装置１０を一時停止した後に助手席９４に人が戻ってくるとＤＶＤ再生装置１０の録画画像再生作動が再開される。
【００６３】
このように、カーナビゲーション装置２０から供給される画像は表示されたままの状態で、ＤＶＤ再生画像を見ている人の有無によってＤＶＤ再生装置１０の録画画像再生作動が一時停止されたり再開されたりするので、使用者の使い勝手がよい表示制御システムとなる。
【００６４】
また、ＤＶＤ再生装置１０の録画画像再生作動が一時停止されてから所定時間が経過すると、記憶装置６０に記憶されているＤＶＤ再生装置１０の録画画像再生作動の一時停止位置及びＤＶＤ録画画像のタイトルが消去される。したがって、助手席９４で再生されている録画画像を見ていた人が助手席９４に帰ってこない場合には、ＤＶＤ再生装置１０は、録画画像再生作動の一時停止位置から作動が再開されない。
【００６５】
つまり、一時停止後所定時間が経過した後には、ＤＶＤ再生装置１０は通常の操作が可能となっているので、他の人が助手席９４に着席したときに録画画像が途中から再生されるようなことがない。したがって、使いやすい表示制御システムとなる。
【００６６】
さらに、ＤＶＤ録画画像のタイトルと一時停止位置とが記憶されている記憶装置６０が着脱可能、かつ、持ち運び可能に構成されているので、ＤＶＤ録画画像のタイトルと一時停止位置とを他の車両や他の場所へも持ち運ぶことができる。したがって、他の車両などに表示制御システム１が備えられおり、表示制御システム１のＤＶＤ再生装置１０に同じタイトルのＤＶＤ録画画像がセットされていれば、他の車両などにおいても、一時停止位置から同じタイトルの録画画像を再生することができる。
【００６７】
［第２実施形態］
次に第２実施形態として、表示制御システム２について図４及び図５に基づき説明する。図４は、表示制御システム２の概略構成を示すブロック図であり、図５は、表示制御処理の処理フローを示すフローチャートである。
【００６８】
表示制御システム２の構成及び表示制御処理は、第１実施形態における表示制御システム１の構成（図１参照）及び表示制御処理（図３参照）に類似しているので、同じ構成要素及び同じ処理には同じ符号を付して説明を省略し、異なる部分について説明する。
【００６９】
表示制御システム２は、図４に示すように、第１実施形態における表示制御システム１にタッチセンサ８０が加えられた構成となっている。
タッチセンサ８０は、一時停止したＤＶＤ再生装置１０の録画画像再生作動を再開させるための指令を入力するものである。具体的には、画像表示装置７０の表示画面Ｂ７４上に設けられており、人が指などで表示画面Ｂ７４に触れたときに作動して、ＤＶＤ再生装置１０の録画再生作動を再開させるための指令が入力されるようになっている。
【００７０】
制御部５０は、ＤＶＤ再生装置１０の録画画像再生作動を一時停止させた後に、助手席着座センサ３０によって助手席９４に人が検出されたとき、ＤＶＤ再生装置１０の録画画像再生作動の一時停止位置からＤＶＤ再生装置１０の録画画像再生作動の再開が可能となった旨の表示を画像表示装置７０に表示させる。
【００７１】
そして、タッチセンサ８０に対して一時停止したＤＶＤ再生装置１０の録画画像再生作動を再開させるための指令の入力があった場合に、ＤＶＤ再生装置１０の録画画像再生作動を再開させる
（表示制御処理）
以上のように構成された表示制御システム２における表示制御処理では、図５に示すように、Ｓ１００〜Ｓ１７０において第１実施形態における表示制御システム１と同じ処理が実行される。
【００７２】
そしてＳ１７０で、助手席者が同一であると判定された場合（Ｓ１７０：Ｙｅｓ）、続くＳ１７１において画像表示装置７０の表示画面Ｂ７４に、ＤＶＤ再生装置１０の録画画像再生作動の再開をするか否かの入力をする旨の表示がなされる。
【００７３】
続くＳ１７３では、タッチセンサ８０の状態が入力され、タッチセンサ８０にＤＶＤ再生装置１０の録画画像再生作動の再開をする指令の入力があるか否かが判定される。指令の入力がなかった場合（Ｓ１７３：Ｎｏ）、処理がＳ１０５へ戻されて表示制御処理が繰返され、指令の入力があった場合（Ｓ１７３：Ｙｅｓ）、Ｓ１７５へ処理が移行されて、第１実施形態における表示制御処理と同じ処理が実行される。
【００７４】
（表示制御システム２の特徴）
表示制御システム２においては、画像表示装置７０の表示画面Ｂ７４にＤＶＤ再生装置１０の録画画像再生作動の再開が可能となった旨の表示がなされ、さらに、タッチセンサ８０に対して、一時停止したＤＶＤ再生装置１０の録画画像再生作動を再開させるための指令の入力があった場合に、ＤＶＤ再生装置１０の録画画像再生作動が再開される。
【００７５】
つまり、ＤＶＤ再生装置１０の使用者の選択に応じて、一時停止位置から録画画像を見るか否かを選択できるようになるので、使用者にとって使いやすい表示制御システムとなる。
【００７６】
［その他の実施形態］
（１）上記各実施形態では、助手席９４に人が居るか否かを検出するために助手席着座センサ３０を用いていたが、助手席着座センサ３０の代りに室内カメラ４０を用いて、画像処理によって助手席９４に人が居るか否かを検出するようにしてもよい。室内カメラ４０を用いることによって、より広い範囲での人の検出が可能になる。
【００７７】
（２）また、上記各実施形態では、画像表示装置７０は、表示画面Ａ７２及び表示画面Ｂ７４の２つの画面を有していたが、１画面で２方向の表示が可能な表示画面を有していてもよい。
【００７８】
（３）また、画像表示装置７０は２画面でなく、より多くの画面を有していてもよい。例えば、ワンボックスカーに本表示制御システムを設置する場合、運転席９２側の表示画面及び助手席９４側の表示画面以外に後部座席用の表示画面を設け、その画面にＤＶＤ再生装置１０で再生される画像を表示するようにしてもよい。
【００７９】
（４）逆に、画像表示装置７０は、２画面でなく、ＤＶＤ再生装置１０の録画再生画像を表示するための１画面のみを有するものであってもよい。
なお、本明細書において、ＤＶＤ再生装置１０が録画画像再生装置に相当し、カーナビゲーション装置２０が録画画像再生装置以外の装置に相当し、記憶装置６０が記憶手段に相当する。また、助手席着座センサ３０が人検出手段に相当し、制御部５０が制御手段に相当し、タッチセンサ８０が入力手段に相当し、室内カメラ４０が人識別手段に相当する。
【図面の簡単な説明】
【００８０】
【図１】表示制御システム１の概略構成を示すブロック図である。
【図２】表示制御システム１が車両９０に搭載されている様子を示す車両搭載図である。
【図３】表示制御システム１における表示制御処理の処理フローを表すフローチャートである。
【図４】表示制御システム２の概略構成を示すブロック図である。
【図５】表示制御システム２における表示制御処理の処理フローを示すフローチャートである。
【符号の説明】
【００８１】
１，２…表示制御システム、１０…ＤＶＤ再生装置、２０…カーナビゲーション装置、３０…助手席着座センサ、４０…室内カメラ、５０…制御部、６０…記憶装置、７０…画像表示装置、７２…表示画面Ａ、７４…表示画面Ｂ、８０…タッチセンサ、９０…車両、９４…助手席、９６…前面ガラス。
【図１】
2007336298.tif 000003
【図３】
2007336298.tif 000004
【図４】
2007336298.tif 000005
【図５】
2007336298.tif 000006
【図２】
2007336298.tif 000007